(57)【要約】　　　（修正有）【課題】同じシャワヘッド本体を使用して、シャワ状態だけの散水を行えるとともに、このシャワ状態だけの散水に代えて少なくともシャワ状態とマッサージ状態の二つの散水が行えるハンドシャワにおけるシャワ板取り替え方法を提供すること。【解決手段】シャワ状態だけの散水を行うときは、シャワヘッド本体１’内に第１のシャワ板６０’を取り外し可能な装着手段によって設置する一方、少なくともシャワ状態とマッサージ状態の二つの散水を行うときは、前記第１のシャワ板６０’を取り外した後、前記シャワヘッド本体１’内にアダプタ７３を設置し、取り付け部材４を介して、少なくとも前記二つの散水を行うためのユニット部材を前記第２のシャワ板１０’およびこのシャワ板１０’を回転させる回転ハンドル６’と共に、取り外し可能な装着手段４ｂ，４ｃ，１９，７５，７７，Ｐ’，Ｑによって前記アダプタに装着する。【選択図】　　　　　図１０
2004033627.tif 000002
【特許請求の範囲】
【請求項１】
シャワ状態だけの散水が行える第１のシャワ板をシャワヘッド本体に取り替え自在に装着する一方、前記第１のシャワ板に代えて、少なくともシャワ状態とマッサージ状態の二つの散水が回転自在に行えるよう構成された第２のシャワ板を前記シャワヘッド本体に取り替え自在に装着するハンドシャワにおけるシャワ板取り替え方法であって、シャワ状態だけの散水を行うときは、前記シャワヘッド本体内に前記第１のシャワ板を取り外し可能な装着手段によって設置する一方、少なくともシャワ状態とマッサージ状態の二つの散水を行うときは、前記シャワヘッド本体から、前記第１のシャワ板を取り外した後、前記シャワヘッド本体内にアダプタを設置し、前記第２のシャワ板を回転させる回転ハンドルが回転自在に取り付けられる取り付け部材を介して、少なくとも前記二つの散水を行うためのユニット部材を前記第２のシャワ板およびこのシャワ板を回転させる回転ハンドルと共に、取り外し可能な装着手段によって前記アダプタに装着することを特徴とするハンドシャワにおけるシャワ板取り替え方法。
【請求項２】
少なくともシャワ状態とマッサージ状態の二つの散水が回転自在に行えるよう構成された第２のシャワ板をシャワヘッド本体に取り替え自在に装着する一方、この第２のシャワ板に代えて、シャワ状態だけの散水が行える第１のシャワ板を前記シャワヘッド本体に取り替え自在に装着するハンドシャワにおけるシャワ板取り替え方法であって、少なくともシャワ状態とマッサージ状態の二つの散水を行うときは、少なくとも前記二つの散水を行うためのユニット部材を、前記第２のシャワ板、このシャワ板を回転させる回転ハンドルおよびこの回転ハンドルが回転自在に取り付けられる取り付け部材と共に、この取り付け部材を介して取り外し可能な装着手段によって前記シャワヘッド本体内に装着する一方、シャワ状態だけの散水を行うときは、前記シャワヘッド本体から、前記ユニット部材、第２のシャワ板、回転ハンドルおよび取り付け部材を取り外した後、前記シャワヘッド本体に前記第１のシャワ板を装着することを特徴とするハンドシャワにおけるシャワ板取り替え方法。
【発明の詳細な説明】
【０００１】
【発明の属する技術分野】
この発明は、ハンドシャワにおけるシャワ板取り替え方法に関するものである。
【０００２】
【従来の技術および発明が解決しようとする課題】
例えば浴室等で使用されるハンドシャワとして、シャワ状態だけの散水が行えるシャワ板をシャワヘッド本体に装着したものや、少なくともシャワ状態とマッサージ状態の二つの散水が行えるシャワ板をシャワヘッド本体に装着したものがあるけれども、それぞれ別々のシャワヘッド本体を使用していた。そのため、シャワ状態だけの散水を行うシャワ板を取り外したシャワヘッド本体に、少なくともシャワ状態とマッサージ状態の二つの散水を行うシャワ板やこれに関連するユニット部材、更にはシャワ状態とマッサージ状態に切替操作を行うハンドル等を装着することはできなかった。同様に、シャワ状態とマッサージ状態の二つの散水を行うシャワ板を取り外したシャワヘッド本体に、シャワ状態だけの散水が行えるシャワ板を装着することはできなかった。
【０００３】
この発明は、同じシャワヘッド本体を使用して、シャワ状態だけの散水を行えるとともに、このシャワ状態だけの散水に代えて少なくともシャワ状態とマッサージ状態の二つの散水が行えるハンドシャワにおけるシャワ板取り替え方法を提供することを目的とする。
【０００４】
【課題を解決するための手段】
上記目的を達成するために、この発明のハンドシャワにおけるシャワ板取り替え方法は、シャワ状態だけの散水が行える第１のシャワ板をシャワヘッド本体に取り替え自在に装着する一方、前記第１のシャワ板に代えて、少なくともシャワ状態とマッサージ状態の二つの散水が回転自在に行えるよう構成された第２のシャワ板を前記シャワヘッド本体に取り替え自在に装着するハンドシャワにおけるシャワ板取り替え方法であって、シャワ状態だけの散水を行うときは、前記シャワヘッド本体内に前記第１のシャワ板を取り外し可能な装着手段によって設置する一方、少なくともシャワ状態とマッサージ状態の二つの散水を行うときは、前記シャワヘッド本体から、前記第１のシャワ板を取り外した後、前記シャワヘッド本体内にアダプタを設置し、前記第２のシャワ板を回転させる回転ハンドルが回転自在に取り付けられる取り付け部材を介して、少なくとも前記二つの散水を行うためのユニット部材を前記第２のシャワ板およびこのシャワ板を回転させる回転ハンドルと共に、取り外し可能な装着手段によって前記アダプタに装着するものである。
【０００５】
これにより、図１０に示すように、シャワ状態だけの散水が行える第１のシャワ板６０’を取り替え自在に装着してあるシャワヘッド本体１’に、少なくともシャワ状態とマッサージ状態の二つの散水が回転自在に行えるよう構成された第２のシャワ板１０’を取り替え自在に装着できる。よって、この発明では、シャワヘッド本体１’を共用できる。
【０００６】
また、この発明は別の観点から、少なくともシャワ状態とマッサージ状態の二つの散水が回転自在に行えるよう構成された第２のシャワ板をシャワヘッド本体に取り替え自在に装着する一方、この第２のシャワ板に代えて、シャワ状態だけの散水が行える第１のシャワ板を前記シャワヘッド本体に取り替え自在に装着するハンドシャワにおけるシャワ板取り替え方法であって、少なくともシャワ状態とマッサージ状態の二つの散水を行うときは、少なくとも前記二つの散水を行うためのユニット部材を、前記第２のシャワ板、このシャワ板を回転させる回転ハンドルおよびこの回転ハンドルが回転自在に取り付けられる取り付け部材と共に、この取り付け部材を介して取り外し可能な装着手段によって前記シャワヘッド本体内に装着する一方、シャワ状態だけの散水を行うときは、前記シャワヘッド本体から、前記ユニット部材、第２のシャワ板、回転ハンドルおよび取り付け部材を取り外した後、前記シャワヘッド本体に前記第１のシャワ板を装着することを特徴とするハンドシャワにおけるシャワ板取り替え方法を提供する。
【０００７】
これにより、図１に示すように、少なくともシャワ状態とマッサージ状態の二つの散水が回転自在に行えるよう構成された第２のシャワ板１０を取り替え自在に装着してあるシャワヘッド本体１に、シャワ状態だけの散水が行える第１のシャワ板６０を取り替え自在に装着できる。よって、この発明では、シャワヘッド本体１を共用できる。
【０００８】
【発明の実施の形態】
以下にこの発明の実施の形態について説明する。なお、この発明はそれによって限定されるものではない。
【０００９】
図１〜図９は、少なくともシャワ状態とマッサージ状態の二つの散水が回転自在に行えるよう構成された第２のシャワ板と、シャワ状態だけの散水が行える第１のシャワ板とを一つの同じシャワヘッド本体に取り替え自在に装着できるようにしたこの発明の第１の実施形態を示す。
【００１０】
まず、図１〜図７において、１は、例えば浴室内に設置されるハンドシャワ５９のシャワヘッド本体で、背面側の上部分から下方の下部分にわたり連設されたグリップ部１ａと前面（正面）に開口している前面開口部１ｓを有する。そして、このグリップ部１ａとおよびこれに対向するシャワヘッド本体側の間には手指の挿入空間Ｓが形成されている。また、シャワヘッド本体１は、正面視円形で略ディスク状のシャワ板１０を前面開口部１ｓ内に有する。シャワ板１０は、例えばシャワ散水状態が可能な複数の外側散水孔（シャワ用吐水孔）Ａおよびマッサージ散水状態が可能な複数の内側散水孔（マッサージ用吐水孔）Ｂをそれぞれ、シャワ板１０の外周部分および内周部分に有する。この実施形態では、シャワ板１０は、シャワ状態と、マッサージ状態と、シャワ状態からマッサージ状態あるいはマッサージ状態からシャワ状態に移行する際に生じるマッサージミックス状態の三つの散水が、シャワ板１０とともに回転する回転ハンドル６の回転操作によって行える。この回転ハンドル６は、シャワヘッド本体側に位置する取付リング設置部５にねじ止めで設置されている取付リング（取り付け部材）４に回転自在に取り付けられている。回転ハンドル６は取付リング（取り付け部材）４のまわりを全周回転する。図５において、回転ハンドル６は、環状で、外周面に複数個の凹み６ａを有するとともに、裏面側における外周端に段差７を有する。以下、シャワ状態と、マッサージ状態と、マッサージミックス状態の三つの散水が回転ハンドル６の回転操作によって行える前記シャワ板１０を便宜上第２のシャワ板と呼ぶ。
【００１１】
また、グリップ部１ａと、これに対向するシャワヘッド本体側には、ＡＢＳがコーティングされており、滑らず握り易くなっている。すなわち、Ｃは、ＡＢＳがコーティングされてなる滑り止め部分で、グリップ部１ａのみならず、グリップ部１ａに対向するシャワヘッド本体側にも設けられている。滑り止め部分Ｃには、アクセントカラーが施されており、このアクセントカラーによりグリップ箇所を強調できる。また、グリップ部１ａを強く握れなくても手を挿入空間Ｓに挿入して手をグリップ部１ａやグリップ部１ａに対向するシャワヘッド本体側に当てる動作を行うだけでシャワヘッド本体１を支持できる。
【００１２】
シャワヘッド本体１は、内部に供給流路ｉが形成されているとともに、浴室内に設置される湯水混合水栓にホースを介して接続される接続部２を後端（上流端）に有し、また、前面開口部１ｓは、供給流路ｉが連通する正面視円形の吐水用の開口部３を有する。更に、前面開口部１ｓには、前記吐水用の開口部３の外側に、取付リング（取り付け部材）４に形成された外ねじＱに螺合する内ねじＰを有する正面視円形の前記取付リング設置部５が形成され、更に外側に、前記回転ハンドル６の裏面側における外周端に形成された前記段差７に係合する段差８を有するリング状の回転ハンドル係合部９が形成されている。そして、取付リング設置部５へ取付リング（取り付け部材）４を取り付ける作業、あるいは、取付リング設置部５から取付リング（取り付け部材）４を取り外す作業は、ジグを用いて容易に行える。更に、取付リング（取り付け部材）４は、外周面部４ａにリング溝４ｂを有し、このリング溝４ｂにはＯリング４ｃが嵌込まれている。また、前記回転ハンドル６は、内周面に複数の係合突起１００を有する。
【００１３】
前記第２のシャワ板１０は、図４（Ｂ）、図４（Ｃ）および図４（Ｄ）にも示すように、平面視円形の蓋前板１４およびこの蓋前板１４の周縁の裏面に形成された複数の係止爪１５から構成されている。係止爪１５は、外面ｈに凹状の係止溝１５ａを有する。この係止溝１５ａは、蓋前板１４の円周方向に沿って形成されている。
【００１４】
蓋前板１４は、図７に示す平面視円形の羽根車１６を遊嵌可能に収容するための環状枠１７〔図４（Ｂ）、図４（Ｃ）〕を裏面に有し、裏面の中心部には、凹状の軸受け部１８が形成されている。羽根車１６は、後述するように、シャワ状態とマッサージ状態とマッサージミックス状態の三つの散水を行うためのユニット部材の一つである。
【００１５】
以下、前記ユニット部材について説明する。
【００１６】
前記ユニット部材は、前記羽根車１６と、固定ディスク２０と、弁座部材２１と、渦巻翼２２と、スプリング２３とより主として構成される。
【００１７】
固定ディスク２０は、上流側開口２０ａを有する有底筒状で、前記吐水用の開口部３内に、固定ディスク２０の外周面２０ｃに設けたリング溝２０ｂに嵌込まれたＯリング１９を介して嵌込まれる。また、固定ディスク２０は、供給流路ｉに連通する一対の導入孔２４，２４を上面である下流面部に有する。図７における実線で示す矢印Ｓは、導入孔２４，２４を通るマッサージ流路を示す。
【００１８】
弁座部材２１は、下流側開口２１ａを有する有底筒状で、固定ディスク２０上に底を介して摺動自在に載置されるとともに、開口部２１ｂが環状枠１７に外嵌する。また、　弁座部材２１は、前記マッサージ状態において前記導入孔２４，２４に整合される一対のマッサージ用の孔２５，２５を前記底に有する。２６は、内周面に設けた段差部である。
【００１９】
渦巻翼２２は、筒状の側壁２２ａを有し、弁座部材２１内に嵌挿される。
【００２０】
羽根車１６は、前記第２のシャワ板１０の環状枠１７および渦巻翼２２間に渦巻翼２２および環状枠１７のいずれとも非接触の状態で回転可能に設けられる。
【００２１】
スプリング２３は、固定ディスク２０の上流側開口２０ａから固定ディスク２０内に収容され、固定ディスク２０の前記下流面部と吐水用の開口部３の底に形成されている受部３ａとの間に介装される。スプリング２３は、固定ディスク２０を付勢して固定ディスク２０を弁座部材２１に押圧する機能を有する。
【００２２】
そして、弁座部材２１内に下流側開口２１ａを介して渦巻翼２２および羽根車１６が順次収容された状態で弁座部材２１が環状枠１７を介して前記第２のシャワ板１０の裏面側に取り付けられる。
【００２３】
また、弁座部材２１、渦巻翼２２および羽根車１６で第１ユニット部を構成するとともに、前記吐水用の開口部３内に嵌込まれた固定ディスク２０およびスプリング２３とで第２ユニット部が構成される。
【００２４】
更に、渦巻翼２２は、図８にも示すように、羽根車１６の回転を支持する中心支持軸部３０と、この中心支持軸部３０のまわりに点対象に位置する一対の翼部３１，３１を備え、弁座部材２１の内周面に係止される。また、翼部３１，３１は、それぞれ互いに異なる傾きを持った状態で交叉することなく配置され、渦巻翼２２の側壁２２ｃの直径方向に沿う形で渦流出口３３，３３が形成されている。また、前記中心支持軸部３０は、側壁２２ｃの上端面２２ｄよりも長さｄだけ突出した小径の差し込み軸３０ａと、羽根車１６の回転中心軸を支持する大径の支持軸３０ｂとよりなる。
【００２５】
このように構成された渦巻翼２２は、弁座部材２１内に嵌挿され、かつ、弁座部材２１内に固定される。そして、第２のシャワ板１０がマッサージ状態に切替えられているときは、前記供給流路ｉはこれが渦流出口３３および３３を経た後は、図７に示すように、それぞれ渦巻流路ＲおよびＲ’に変換される。すなわち、渦流出口３３および３３を経たいずれの渦巻も同じ一方向、例えば反時計方向に流れる。
【００２６】
羽根車１６は、図９にその詳細が示されている。羽根車１６は、筒状の側壁４０と、渦巻翼２２の前記中心支持軸部３０によって回転可能に支持される回転中心軸部４１と、側壁４０の内周面４２から９０°間隔で回転中心軸部４１の手前まで延設された４枚の羽根４３，４４，４５，４６と、上端面４７側に対向する２つの連通孔５０，５１を残して側壁４０の上方開口４８を覆う平面視略Ｈ形状の覆い板部４９とよりなる。２つの連通孔５０，５１にはそれぞれ前記２枚の羽根４３，４５が位置している。
【００２７】
更に、前記側壁４０の外径は、渦巻翼２２の側壁２２ｃの内径よりも小さく設定されている。
【００２８】
また、前記回転中心軸部４１は、覆い板部４９の上端面４９ａよりも長さＤだけ突出した小径の回転軸４１ａと、前記差し込み軸３０ａが差し込まれる差込孔５３を有する支持軸４１ｂとよりなる。前記回転軸４１ａの先端は、第２のシャワ板１０の蓋前板１４の裏面に形成された軸受け部１８に当接する。
【００２９】
これにより、前記羽根車１６は、前記第２のシャワ板１０の裏面に設けた環状枠１７および前記渦巻翼２２間において前記渦巻翼２２および第２のシャワ板１０のいずれとも非接触の状態で回転可能であり、渦巻流路ＲおよびＲ’の渦巻が羽根車１６の４枚の羽根４３，４４，４５，４６に当たり続けることで羽根車１６が回転中心軸部４１のまわりを勢いよく回転するとともに、この間に、前記連通孔５０，５１を介して第２のシャワ板１０の前記マッサージ用吐水孔Ｂから吐水する。
【００３０】
この場合、例えば、仮に羽根車に１個の連通孔しか形成されていないと、湯水の圧力が大きくなると羽根車が回転しなくなるといった事態が発生するが、この実施形態では、２つの連通孔５０，５１を設けているので、羽根車１６の回転のバランスが回転中心軸部４１のまわりにおいて均一となり、直下に位置して羽根車１６を支持する渦巻翼２２および第２のシャワ板１９の環状枠１７のいずれとも非接触の状態で、羽根車１６がバランスよく回転し続けることになる。
【００３１】
次に、シャワ状態だけの散水が行える第１のシャワ板６０について説明する。
【００３２】
第１のシャワ板６０は、シャワ状態だけの散水を行うために使用されるもので、図１に示すように、平面視円形の蓋前板１４’と、この蓋前板１４’の周縁の裏面に連設された環状枠１７’とを有する。
【００３３】
蓋前板１４’は、シャワ散水状態が可能な複数の散水孔（シャワ用吐水孔）Ａ’を有するとともに、シャワヘッド本体側に位置する前記回転ハンドル係合部９に形成された前記段差８に係合する段差６５を裏面側における外周端に有する。
【００３４】
一方、前記環状枠１７’は、取付リング設置部５の内周面５ａにＯリング１９’を介してねじ接続により嵌込まれるもので、シャワヘッド本体側に位置する取付リング設置部５に設けた前記内ねじＰに螺合する外ねじＱ’を周面６１の上部に有するとともに、周面６１の下部にＯリング１９’が嵌込まれる環状の嵌込溝６２を有する。
【００３５】
而して、図１において、シャワ状態とマッサージミックス状態とマッサージ状態の三つの散水を行うときは、まず、シャワヘッド本体１の前面開口部１ｓの吐水用の開口部３内にスプリング２３を収容した状態で固定ディスク２０を前記開口部３内に嵌込む。
【００３６】
次に、回転ハンドル６が回転自在に取り付けられる取付リング（取り付け部材）４を取付リング設置部５にねじ止めする。ねじ止めされた状態では、回転ハンドル６に設けた段差７と取付リング設置部５に設けた段差８が係合している。
【００３７】
一方、弁座部材２１内に羽根車１６および渦巻翼２２が収容された弁座部材２１を、弁座部材２１の開口部２１ｂが第２のシャワ板１０の環状枠１７に外嵌するようセットする。
【００３８】
最後に、第１ユニット部を構成する弁座部材２１、渦巻翼２２および羽根車１６が裏面側に装着された第２のシャワ板１０を回転ハンドル６に係合させる。このとき、第２のシャワ板１０の係止爪１５に設けた係止溝１５ａと回転ハンドル６の内周面に設けた係合突起１００を係合させることにより、第２のシャワ板１０をシャワヘッド本体１に装着できる。
【００３９】
このように、第１ユニット部を構成する弁座部材２１、渦巻翼２２および羽根車１６と、第２ユニット部を構成する固定ディスク２０およびスプリング２３ととを、第２のシャワ板１０、回転ハンドル６および取付リング（取り付け部材）４と共に、取付リング（取り付け部材）４を介して取り外し可能な装着手段によってシャワヘッド本体１内に装着できる。
【００４０】
そして、前記取り外し可能な装着手段は、固定ディスク２０の外周面部２０ｃおよびＯリング１９ならびにこのＯリング１９を介して外周面部２０ｃが嵌込まれる吐水用の開口部３と、取付リング（取り付け部材）４の外周面部４ａおよびＯリング４ｃならびに取付リング設置部５と、回転ハンドル６に形成された段差７およびシャワヘッド本体１の回転ハンドル係合部９に形成された段差８と、シャワ板１０に形成した係止爪１５の係止溝１５ａおよび回転ハンドル６に形成した係合突起１００とから構成される。
【００４１】
一方、シャワ状態だけの散水を行うときは、前記シャワヘッド本体１から、前記ユニット部材２１，２２，１６、２０，２３、第２のシャワ板１０、回転ハンドル６および取付リング（取り付け部材）４を取り外した後、前記シャワヘッド本体１に前記第１のシャワ板６０を装着できる。
【００４２】
この実施形態では、シャワ状態だけの散水を行う第１のシャワ板６０を、シャワ状態と、マッサージ状態と、マッサージミックス状態の三つの散水が、シャワ板１０とともに全周回転する回転ハンドル６の回転操作によって行えるハンドシャワ５９のシャワヘッド本体１に適合するよう第１のシャワ板６０を構成した。
【００４３】
図１０〜図１４は、回転ハンドル６’の回転操作によって取付リング（取り付け部材）４のまわりを全周回転するとともに、シャワ状態と、マッサージ状態と、マッサージミックス状態の三つの散水を行う第２のシャワ板１０’を、シャワ状態だけの散水が行えるハンドシャワ５９’のシャワヘッド本体１’に適合するよう構成したこの発明の第２の実施形態を示す。なお、図１０〜図１４において、図１〜図９に示した符号と同一のものは同一または相当物である。
【００４４】
図１０〜図１４において、ハンドシャワ５９’は、シャワ状態だけの散水が行える第１のシャワ板６０’と、この第１のシャワ板６０’が取り替え自在に装着されるシャワヘッド本体１’よりなり、例えば浴室内に設置される。
【００４５】
第１のシャワ板６０’は、正面視円形で略ディスク形状をなし、平面視円形の蓋前板１４’およびこの蓋前板１４’の周縁の裏面に形成された複数の係止爪１５から構成されている。係止爪１５は、外面ｈに凹状の係止溝１５ａを有する。この係止溝１５ａは、蓋前板１４’の円周方向に沿って形成されている。また、蓋前板１４’は、シャワ散水状態が可能な複数の散水孔（シャワ用吐水孔）Ａ’を有する。また、シャワヘッド本体１’は、浴室内に設置される湯水混合水栓にホースを介して接続される接続部２を後端（上流端）に有する。
【００４６】
シャワヘッド本体１’は、背面側の上部分から下方の下部分にわたり連設されたグリップ部１ａと、前面（正面）に開口している前面開口部１ｓ’を有する。そして、グリップ部１ａおよびこれに対向するシャワヘッド本体側の間には手指の挿入空間Ｓが形成されている。
【００４７】
そして、前面開口部１ｓ’は、第１のシャワ板６０’が取り外し可能に装着されるよう構成されている。すなわち、前面開口部１ｓ’は、シャワヘッド本体１’の内部に形成された供給流路ｉが連通する正面視円形の吐水用の開口部３を有するとともに、前記吐水用の開口部３の直下流側に吐水用の開口部３よりも大径で、正面視円形の第１のシャワ板設置部７１を有する。そして、第１のシャワ板設置部７１は、第１のシャワ板６０’の係止溝１５ａに係合する係合突起７０を内周面ｊに有する。
【００４８】
而して、蓋前板１４’の円周方向に沿って形成されている係止溝１５ａを前記係合突起７０に係合させることにより、シャワ状態だけの散水が行える第１のシャワ板６０’をシャワヘッド本体１’に装着できる。また、前記係止溝１５ａと係合突起７０の係合を解除することにより、第１のシャワ板６０’をシャワヘッド本体１’の前面開口部１ｓ’から取り外すことができる。
【００４９】
次に、第１のシャワ板６０’に代えて、シャワ状態と、マッサージ状態と、マッサージミックス状態の三つの散水を行う第２のシャワ板１０’をシャワヘッド本体１’に取り替え自在に装着する構成について説明する。
【００５０】
この実施形態では、前記シャワヘッド本体１’から、前記第１のシャワ板６０’を取り外した後、前記シャワヘッド本体１’内にこの発明の特徴的構成であるアダプタ７３（後述する）を設置し、前記第２のシャワ板１０’を回転させる回転ハンドル６’が回転自在に取り付けられる取付リング（取り付け部材）４を介して、前記三つの散水を行うための前記ユニット部材２１，２２，１６、２０，２３を前記第２のシャワ板１０’およびこのシャワ板１０’を回転させる回転ハンドル６’と共に、取り外し可能な装着手段によって前記アダプタ７３に装着している。
【００５１】
なお、この実施形態で用いる前記第２のシャワ板１０’は上記実施形態で用いた前記第２のシャワ板１０と同一のものである。また、この実施形態で用いる前記ユニット部材２１，２２，１６、２０，２３も上記実施形態で用いたものと同一のものである。更に、この実施形態で用いる前記取付リング（取り付け部材）４も上記実施形態で用いたものと同一のものである。また、この実施形態で用いる前記回転ハンドル６’は、上記実施形態で用いた回転ハンドル６と外形形状が異なるだけで、回転ハンドル６と同様の取り付け手段によって、回転ハンドル６’が取付リング（取り付け部材）４に取り付けられている。
【００５２】
以下、特徴的構成について説明する。
【００５３】
前記アダプタ７３は、前記前面開口部１ｓ’に内嵌および係止されることによりシャワヘッド本体１’内に設置される。前記アダプタ７３は、大径の下流側開口部７５と、小径の上流側開口部７６と、固定ディスク２０内にスプリング２３を収容した状態で、前記Ｏリング１９を介して固定ディスク２０が嵌込まれる正面視円形のディスク嵌込リング部７７と、前記三者７５，７６，７７を繋ぐリング状の繋ぎ部８２とで構成される。
【００５４】
繋ぎ部８２は、前記突起７０に係合する前記係止溝１５ａと同一の複数の係止溝７８を、下流側開口部７５の外周面から同一外径を有する形で上流側に連設された外周面８０に有するとともに、Ｏリング７９を介して前記吐水用の開口部３に内嵌する嵌込部分８１を係止溝７８よりも上流側に有する。
【００５５】
そして、第１のシャワ板設置部７１に下流側開口部７５を内嵌させ、第１のシャワ板設置部７１と吐水用の開口部３に跨がり繋ぎ部８２を内嵌させるとともに、突起７０に係止溝７８を係合させることにより、アダプタ７３はシャワヘッド本体１’の前面開口部１ｓ’内に設置される。
【００５６】
また、下流側開口部７５は、取付リング（取り付け部材）４の外周面部４ａが内嵌可能な内径の内周面Ｗを有するとともに、この内周面Ｗにおける最下流端に、取付リング（取り付け部材）４に形成された外ねじＱに螺合する内ねじＰ’を有する。
【００５７】
また、前記上流側開口部７６は、図１１に示すように、スプリング２３の上流端を保持する保持手段（図示せず）を内部に有する。
【００５８】
そして、取付リング（取り付け部材）４を介して、前記ユニット部材２１，２２，１６、２０，２３を前記第２のシャワ板１０’および回転ハンドル６’と共に前記アダプタ７３に装着する取り外し可能な装着手段は、固定ディスク２０の外周面２０ｃに設けたＯリング１９およびディスク嵌込リング部７７と、下流側開口部７５に設けた内ねじＰ’および取付リング（取り付け部材）４に設けた外ねじＱと、取付リング（取り付け部材）４の外周面部４ａに形成されたリング溝４ｂに嵌込まれているＯリング４ｃとから構成さている。
【００５９】
而して、第１のシャワ板６０’をシャワヘッド本体１’の前面開口部１ｓ’から取り外した後、前面開口部１ｓ’にアダプタ７３を嵌込むとともに、突起７０に係止溝７８を係合させてアダプタ７３を前面開口部１ｓ’内に設置する。
【００６０】
続いて、アダプタ７３のディスク嵌込リング部７７内にスプリング２３を収容した状態で固定ディスク２０を前記ディスク嵌込リング部７７に嵌込む。
【００６１】
次に、回転ハンドル６’が回転自在に取り付けられる取付リング（取り付け部材）４をアダプタ７３の下流側開口部７５内にねじ止めする。
【００６２】
一方、弁座部材２１内に羽根車１６および渦巻翼２２が収容された弁座部材２１を、弁座部材２１の開口部２１ｂが第２のシャワ板１０’の環状枠１７に外嵌するようセットする。
【００６３】
最後に、第１ユニット部を構成する弁座部材２１、渦巻翼２２および羽根車１６が裏面側に装着された第２のシャワ板１０’を回転ハンドル６’に係合させる。このとき、第２のシャワ板１０’の前記係止溝１５ａに回転ハンドル６’の内周面に設けた前記突起１００を係合させることにより、第２のシャワ板１０’を回転ハンドル６’に装着できる。
【００６４】
このように、第１のシャワ板６０’が装着されていたシャワヘッド本体１’に、アダプタ７３を介して第２のシャワ板１０’を装着でき、シャワ状態と、マッサージ状態と、マッサージミックス状態の三つの散水が行えるハンドシャワ１０１を得ることができる。
【００６５】
【発明の効果】
以上説明したようにこの発明は、同じシャワヘッド本体を使用して、シャワ状態だけの散水を行えるとともに、このシャワ状態だけの散水に代えて少なくともシャワ状態とマッサージ状態の二つの散水が行えるハンドシャワにおけるシャワ板取り替え方法を提供できる効果がある。
【図面の簡単な説明】
【図１】この発明の第１の実施形態におけるシャワ板取り替え動作を説明するための構成説明図である。
【図２】上記実施形態で用いたハンドシャワを示す全体構成説明図である。
【図３】上記実施形態で用いたハンドシャワを示す構成説明図である。
【図４】（Ａ）は、上記実施形態で用いた、少なくともシャワ状態とマッサージ状態の二つの散水が回転自在に行えるよう構成された第２のシャワ板を示す正面図である。
（Ｂ）は、図４（Ａ）におけるａ−ａ線断面図である。
（Ｃ）は、上記実施形態で用いた前記第２のシャワ板を示す背面図である。
（Ｄ）は、上記実施形態で用いた前記第２のシャワ板を示す側面図である。
【図５】（Ａ）は、上記実施形態で用いた回転ハンドルを示す正面図である。
（Ｂ）は、図５（Ａ）におけるｂ−ｂ線断面図である。
（Ｃ）は、上記実施形態で用いた前記第２のシャワ板を示す側面図である。
【図６】（Ａ）は、上記実施形態で用いた取り付け部材を示す正面図である。
（Ｂ）は、図６（Ａ）におけるｃ−ｃ線断面図である。
【図７】上記実施形態で用いたユニット部材を示す分解斜視図である。
【図８】（Ａ）は、上記実施形態で用いた前記ユニット部材のうち渦巻翼を示す正面図である。
（Ｂ）は、上記実施形態で用いた前記渦巻翼を示す縦断面図である。
（Ｃ）は、上記実施形態で用いた前記渦巻翼を示す背面図である。
【図９】（Ａ）は、上記実施形態で用いた前記ユニット部材のうち羽根車を示す正面図である。
（Ｂ）は、上記実施形態で用いた前記羽根車を示す縦断面図である。
（Ｃ）は、上記実施形態で用いた前記羽根車を示す背面図である。
【図１０】この発明の第２の実施形態におけるシャワ板取り替え動作を説明するための構成説明図である。
【図１１】上記第２の実施形態を用いて、少なくともシャワ状態とマッサージ状態の二つの散水が回転自在に行えるよう構成された第２のシャワ板をシャワヘッド本体に装着したハンドシャワを示す構成説明図である。
【図１２】上記第２の実施形態で用いたシャワ状態だけの散水が行える第１のシャワ板の背面図である。
【図１３】上記第２の実施形態で用いたシャワ状態だけの散水が行える第１のシャワ板の平面図である。
【図１４】上記第２の実施形態で用いたシャワ状態だけの散水が行える第１のシャワ板の正面図である。
【符号の説明】
１’…シャワヘッド本体、４…取付リング（取り付け部材）、４ｂ，４ｃ，１９，７５，７７，Ｐ’，Ｑ，…取り外し可能な装着手段、６’…回転ハンドル、１０’…第２のシャワ板、２１，２２，１６、２０，２３…ユニット部材、５９’，１０１…ハンドシャワ、６０’…第１のシャワ板、７３…アダプタ。
【図１】
2004033627.tif 000003
【図２】
2004033627.tif 000004
【図３】
2004033627.tif 000005
【図４】
2004033627.tif 000006
【図５】
2004033627.tif 000007
【図６】
2004033627.tif 000008
【図７】
2004033627.tif 000009
【図８】
2004033627.tif 000010
【図９】
2004033627.tif 000011
【図１０】
2004033627.tif 000012
【図１１】
2004033627.tif 000013
【図１２】
2004033627.tif 000014
【図１３】
2004033627.tif 000015
【図１４】
2004033627.tif 000016